(57)【要約】【課題】  マルチチャンネルオーディオ装置は、リア側の受信回路が常時通電され受信状態を保たねばならず、バッテリーの寿命が長く続かない。また、バッテリーを商用電源に代えても、この待機受信の為の消費電力が１Ｗ以上必要な場合があり、待機電力の更なる抑制が望まれていた。【解決手段】  プレーヤ本体の送信回路５０とリヤスピーカー７８の受信回路６４〜６７を備え、プレーヤ本体から無線でリヤスピーカー７８の電源を操作するように構成されたマルチチャンネルオーディオ装置において、上記受信回路は、リヤスピーカー７８の電源を制御するコマンドデータを送信回路５０から受信し、リヤスピーカー７８は、上記受信回路がコマンドデータを電源オフのコマンドであると認識したとき前記メイン電源７２の出力を電源リレー７５によりオフすると共に、サブ電源７３の出力を電源リレー７６により間欠動作させるように構成した。【選択図】図２
2006067336.tif 000002
【特許請求の範囲】
【請求項１】
第１の装置に備わる送信回路から第２の装置に備わる受信回路に無線でデータを伝送するように構成されたワイヤレスシステムの電源制御装置において、
前記第２の装置が待機状態のとき前記受信回路に電源を間欠して供給し前記受信回路を間欠動作させるように構成したことを特徴とするワイヤレスシステムの電源制御装置。
【請求項２】
前記受信回路は少なくとも受信部と該受信部に動作クロックを供給する局部発振回路を含み、前記第２の装置が待機状態のとき、前記受信部を間欠動作させると共に前記局部発振回路を連続動作させるように構成したことを特徴とする請求項１に記載のワイヤレスシステムの電源制御装置。
【請求項３】
前記受信回路は、前記第２の装置の電源を制御するコマンドデータを前記送信回路から受信するように構成したことを特徴とする請求項１又は請求項２に記載のワイヤレスシステムの電源制御装置。
【請求項４】
前記第２の装置が待機状態のとき、前記受信回路は前記間欠動作の１周期以上の時間において前記コマンドデータを連続して前記受信回路に伝送することを特徴とする請求項３に記載のワイヤレスシステムの電源制御装置。
【請求項５】
前記コマンドデータは他のデータと多重化して伝送されることを特徴とする請求項３又は請求項４に記載のワイヤレスシステムの電源制御装置。
【請求項６】
前記受信回路が前記コマンドデータを受信したとき、前記受信回路内のタイマーを動作させて前記受信回路の電源を間欠動作させることを特徴とする請求項３乃至請求項５のいずれか１項に記載のワイヤレスシステムの電源制御装置。
【請求項７】
プレーヤ本体の送信回路とリヤスピーカーの受信回路を備え、前記プレーヤ本体から無線で前記リヤスピーカーの電源を操作するように構成されたマルチチャンネルオーディオ装置において、
前記リヤスピーカーが待機状態のとき前記受信回路に電源を間欠して供給し前記受信回路を間欠動作させるように構成したことを特徴とするマルチチャンネルオーディオ装置。
【請求項８】
前記受信回路は少なくとも受信部と該受信部に動作クロックを供給する局部発振回路を含み、前記第２の装置が待機状態のとき、前記受信部を間欠動作させると共に前記局部発振回路を連続動作させるように構成したことを特徴とする請求項７に記載のマルチチャンネルオーディオ装置。
【請求項９】
前記受信回路は、前記リヤスピーカーの電源を制御するコマンドデータを前記送信回路から受信するように構成したことを特徴とする請求項７又は請求項８に記載のワイヤレスシステムの電源制御装置。
【請求項１０】
前記リヤスピーカーが待機状態のとき、前記間欠動作の１周期以上の時間においてコマンドデータを連続して前記受信回路に伝送することを特徴とする請求項９に記載のマルチチャンネルオーディオ装置。
【請求項１１】
前記コマンドデータは他のデータと多重化して伝送されることを特徴とする請求項９又は請求項１０に記載のマルチチャンネルオーディオ装置。
【請求項１２】
前記受信回路が前記コマンドデータを受信したとき、前記受信回路内のタイマーを動作させて前記受信回路の電源を間欠動作させることを特徴とする請求項９乃至請求項１１のいずれか１項に記載のマルチチャンネルオーディオ装置。
【請求項１３】
前記リヤスピーカーは、オーディオアンプに電力を供給するメイン電源と、前記受信回路に電力を供給するサブ電源とを備えており、
前記受信回路が前記コマンドデータを電源オフのコマンドであると認識したとき前記メイン電源の出力を電源リレーによりオフすると共に、前記サブ電源の出力を電源リレーにより間欠動作させることを特徴とする請求項９乃至請求項１２のいずれか１項に記載のマルチチャンネルオーディオ装置。
【請求項１４】
前記リヤスピーカーは、オーディオアンプに電力を供給するメイン電源と、前記受信回路に電力を供給するサブ電源とを備えており、
前記受信回路が前記コマンドデータを電源オンのコマンドであると認識したときは前記メイン電源の出力を電源リレーによりオンすると共に、前記サブ電源を電源リレーにより間欠して出力する間欠動作モードから連続して出力する連続動作モードに移行させることを特徴とする請求項９乃至請求項１３のいずれか１項に記載のマルチチャンネルオーディオ装置。
【請求項１５】
前記受信回路は少なくとも受信部と該受信部に動作クロックを供給する局部発振回路を含み、前記リヤスピーカーが待機状態のとき、前記受信部と前記局部発振回路を前記サブ電源の出力に接続された前記電源リレーにより間欠動作させることを特徴とする請求項１３又は請求項１４に記載のマルチチャンネルオーディオ装置。
【請求項１６】
前記受信回路は少なくとも受信部と該受信部に動作クロックを供給する局部発振回路を含み、前記リヤスピーカーが待機状態のとき、前記受信部を前記サブ電源の出力に接続された前記電源リレーにより間欠動作させ、前記局部発振回路は前記サブ電源の出力で連続動作させることを特徴とする請求項１３又は請求項１４に記載のマルチチャンネルオーディオ装置。
【請求項１７】
第１の装置に備わる送信回路から第２の装置に備わる受信回路に無線でデータを伝送するように構成されたワイヤレスシステムの電源制御方法において、
前記第２の装置が待機状態のとき前記受信回路に電源を間欠して供給し前記受信回路を間欠動作させることを特徴とするワイヤレスシステムの電源制御方法。
【請求項１８】
前記受信回路は少なくとも受信部と該受信部に動作クロックを供給する局部発振回路を含み、前記第２の装置が待機状態のとき、前記受信部を間欠動作させると共に前記局部発振回路を連続動作させることを特徴とする請求項１７に記載のワイヤレスシステムの電源制御方法。
【請求項１９】
前記第１の装置に備わる送信回路から前記第２の装置の電源を制御するコマンドデータを受信することを特徴とする請求項１７又は請求項１８に記載のワイヤレスシステムの電源制御方法。
【請求項２０】
前記第２の装置が待機状態のとき、前記受信回路は前記間欠動作の１周期以上の時間において前記コマンドデータを連続して前記受信回路に伝送することを特徴とする請求項１９に記載のワイヤレスシステムの電源制御方法。
【請求項２１】
前記コマンドデータは他のデータと多重化して伝送されることを特徴とする請求項１９又は請求項２０に記載のワイヤレスシステムの電源制御方法。
【請求項２２】
前記受信回路が前記コマンドデータを受信したとき、前記受信回路内のタイマーを動作させて前記受信回路の電源を間欠動作させることを特徴とする請求項１９乃至請求項２１のいずれか１項に記載のワイヤレスシステムの電源制御方法。
【請求項２３】
プレーヤ本体の送信装置とリヤスピーカーの受信装置を備え、前記プレーヤ本体から無線で前記リヤスピーカーの電源を操作するように構成されたマルチチャンネルオーディオ装置の電源制御方法において、
前記リヤスピーカーが待機状態のとき前記受信回路に電源を間欠して供給し前記受信回路を間欠動作させることを特徴とするマルチチャンネルオーディオ装置の電源制御方法。
【請求項２４】
前記受信回路は少なくとも受信部と該受信部に動作クロックを供給する局部発振回路を含み、前記リヤスピーカーが待機状態のとき、前記受信部を間欠動作させると共に前記局部発振回路を連続動作させることを特徴とする請求項２３に記載のマルチチャンネルオーディオ装置の電源制御方法。
【請求項２５】
前記受信回路は、前記リヤスピーカーの電源を制御するコマンドデータを前記送信回路から受信することを特徴とする請求項２３又は請求項２４に記載のマルチチャンネルオーディオ装置の電源制御方法。
【請求項２６】
前記リヤスピーカーが待機状態のとき、前記間欠動作の１周期以上の時間においてコマンドデータを連続して伝送することを特徴とする請求項２５に記載のマルチチャンネルオーディオ装置。
【請求項２７】
前記コマンドデータは他のデータと多重化されて伝送されることを特徴とする請求項２４乃至請求項２６のいずれか１項に記載のマルチチャンネルオーディオ装置の電源制御方法。
【請求項２８】
前記受信回路が前記コマンドデータを受信したとき、前記受信回路内のタイマーを動作させて前記受信回路の電源を間欠動作させることを特徴とする請求項２４乃至請求項２７のいづれか１項に記載のマルチチャンネルオーディオ装置の電源制御方法。
【請求項２９】
前記リヤスピーカーは、オーディオアンプに電力を供給するメイン電源と、前記受信回路に電力を供給するサブ電源とを備えており、
前記受信回路が前記コマンドデータを電源オフのコマンドであると認識したとき前記メイン電源の出力を電源リレーによりオフすると共に、前記サブ電源の出力を電源リレーにより間欠動作させることを特徴とする請求項２４乃至請求項２８のいずれか１項に記載のマルチチャンネルオーディオ装置の電源制御方法。
【請求項３０】
前記リヤスピーカーは、オーディオアンプに電力を供給するメイン電源と、前記受信回路に電力を供給するサブ電源とを備えており、
前記受信回路が前記コマンドデータを電源オンのコマンドであると認識したときは前記メイン電源の出力を電源リレーによりオンすると共に、前記サブ電源を電源リレーにより間欠して出力する間欠動作モードから連続して出力する連続動作モードに移行させることを特徴とする請求項２４乃至請求項２８のいずれか１項に記載のマルチチャンネルオーディオ装置の電源制御方法。
【請求項３１】
前記受信回路は少なくとも受信部と該受信部に動作クロックを供給する局部発振回路を含み、前記リヤスピーカーが待機状態のとき、前記受信部と前記局部発振回路を前記サブ電源の出力に接続された前記電源リレーにより間欠動作させることを特徴とする請求項２９又は請求項３０に記載のマルチチャンネルオーディオ装置の電源制御方法。
【請求項３２】
前記受信回路は少なくとも受信部と該受信部に動作クロックを供給する局部発振回路を含み、前記リヤスピーカーが待機状態のとき、前記受信部を前記サブ電源の出力に接続された前記電源リレーにより間欠動作させ、前記局部発振回路は前記サブ電源の出力で連続動作させることを特徴とする請求項２９又は請求項３０に記載のマルチチャンネルオーディオ装置の電源制御方法。
【発明の詳細な説明】
【技術分野】
【０００１】
本発明は、ワイヤレスシステムの電源制御装置及び電源制御方法に係り、特にワイヤレスシステムの受信側の待機電力を抑制するのに好適な電源制御装置及び電源制御方法に関する。
【背景技術】
【０００２】
家庭電化製品やコンピューターを使った各種制御装置などでは、これらを使用していない待機状態ときに、メイン電源はオフされるが、補助回路などを動作させておくため待機電流が流れている場合が多い。特に家庭電化製品やコンピューターなどの制御装置本体から電波、光、あるいは赤外線などの無線信号を使ってその周辺装置を動作させるシステムでは、省電力化のため制御装置本体の他に周辺装置の電源もオフさせる必要がある。
【０００３】
例えば、マルチチャンネルのオーディオ装置におけるリヤスピーカーでは、配線の煩わしさや美観の点から、オーディオ装置本体から無線でリヤスピーカーにオーディオ信号や制御信号を送るワイヤレスシステムが採用されるようになってきている。このワイヤレスシステムにおいても、リヤスピーカー待機電力の省電力化が問題になる。従来、このようなマルチチャンネルのオーディオ装置において、リヤスピーカー待機電力の省電力化を図る提案が登録実用新案公報第３０７２０５７号（特許文献１）などで成されている。
【０００４】
図６は、上記特許文献１に記載されたマルチチャンネルオーディオ装置の全体構成図を示している。図６において、１はリスニングルーム、２はＤＶＤプレーヤ、３はＤＶＤプレーヤ２による再生映像を表示するディスプレイ、４はセンタースピーカー、５はフロント左スピーカー、６はフロント右スピーカー、７はリア左スピーカー、８はリア右スピーカー、９はサブウーハースピーカー、１１はリスナーを示している。このマルチチャンネルオーディオ装置は、ＤＶＤプレーヤ２からリア左・右スピーカー７、８にオーディオ信号を無線送信するようになっている。
【０００５】
図７は、上記特許文献１に記載されたマルチチャンネルオーディオ装置におけるＤＶＤプレーヤ２に備わる送信回路２８、図８はリヤスピーカー７の構成図を示している。
送信回路２８は拡散系列回路３１、３２、変調回路３３、送信アンテナ３４などで構成されている。また、リヤスピーカー７は受信アンテナ４１、復調回路４２、拡散系列回路４３、アンプ４４、スピーカー４５、バッテリー４６、電源制御回路４７、受光部４８などで構成されている。リモコン２５は受光部４８を介してリヤスピーカー７を操作するものである。
図７、図８の詳細な動作説明は上記特許文献１を参照するとしてここでは省略する。
【０００６】
上記特許文献１に記載されたマルチチャンネルオーディオ装置では図８に示されるように、リヤスピーカー７には、復調回路４２、及び拡散系列回路４３に電源を供給するバッテリー４６と、ＤＶＤプレーヤ２側からの無線送信信号を受信している時だけアンプ４４の電源をオンさせる電源制御回路４７を備えている。したがって上記特許文献１に記載されたマルチチャンネルオーディオ装置では、リスナー１１が本装置を使用していないときは、ＤＶＤプレーヤ２側からリヤスピーカー７に信号を送信しないので、リヤスピーカー７の電源を自動的にオフさせ、省電力化を図ることができるようになっている。
【特許文献１】実用新案公報第３０７２０５７号
【発明の開示】
【発明が解決しようとする課題】
【０００７】
上記特許文献１に記載されたマルチチャンネルオーディオ装置では、リスナー１１が本装置を使用していないときはリヤスピーカー７の電源を自動的にオフさせ、省電力化を図ることができる。しかし、リヤスピーカー７は、ＤＶＤプレーヤ２側から無線信号が送信されているかどうかを常時監視している必要があり、このためリヤスピーカー７の受信回路（図８の復調回路５２、及び拡散系列回路５３）は動作させておかねばならない。したがて、リヤスピーカー７では電源がオフされた状態において受信回路（復調回路５２、及び拡散系列回路５３）を動作させるための待機電力が消費されることになる。この先行技術は、リヤスピーカー７への配線を無くし、同時にフロント側の装置の電源をオン、オフさせるたびに、リア側装置も電源の制御が行え便利なものであるが、リア側の受信回路が常時通電され受信状態を保たねばならず、バッテリー５６の寿命が長く続かない。また、バッテリー５６を商用電源に代えても、この待機受信の為の消費電力が１Ｗ以上必要な場合があり、環境対策上問題があった。
【０００８】
上記先行技術に記載されているように、伝送品位の確保、秘匿性の確保などのため、ディジタル変調による無線伝送を採用する機会が増え、そのために必要な搬送波の周波数はギガヘルツ台に上昇している。この周波数帯をカバーする受信機に必要な半導体素子は、当然その周波数で十分な性能が発揮できるよう高速性能を必要とし、この要求が受信機自身の消費電力低減に技術的障害となり、極低消費電力の受信機の実現を困難にしている。最近この待機電力に対する規制も強化されるようになってきており、したがって待機電力の更なる抑制が望まれている。
【０００９】
しかしながら、無線信号の送信状態を常に監視するため、受信回路を常に動作させておかねばならないので、待機電力を抑制することが困難であった。この問題は上記特許文献１に記載されたマルチチャンネルオーディオ装置に限らず、各種家庭電化製品やコンピューターを使った各種制御装置におけるワイヤレスシステムでも同様である。
【００１０】
本発明の目的は、上記課題を解決し、待機電力の更なる抑制が可能なワイヤレスシステムの電源制御装置及び電源制御方法を提供することにある。
【課題を解決するための手段】
【００１１】
本発明の請求項１に係る発明の要旨は、第１の装置に備わる送信回路から第２の装置に備わる受信回路に無線でデータを伝送するように構成されたワイヤレスシステムの電源制御装置において、前記第２の装置が待機状態のとき前記受信回路に電源を間欠して供給し前記受信回路を間欠動作させるように構成したことを特徴とするワイヤレスシステムの電源制御装置に存する。
また、本発明の請求項２に係る発明の要旨は、前記受信回路は少なくとも受信部と該受信部に動作クロックを供給する局部発振回路を含み、前記第２の装置が待機状態のとき、前記受信部を間欠動作させると共に前記局部発振回路を連続動作させるように構成したことを特徴とする請求項１に記載のワイヤレスシステムの電源制御装置に存する。
また、本発明の請求項３に係る発明の要旨は、前記受信回路は、前記第２の装置の電源を制御するコマンドデータを前記送信回路から受信するように構成したことを特徴とする請求項１又は請求項２に記載のワイヤレスシステムの電源制御装置に存する。
また、本発明の請求項４に係る発明の要旨は、前記第２の装置が待機状態のとき、前記受信回路は前記間欠動作の１周期以上の時間において前記コマンドデータを連続して前記受信回路に伝送することを特徴とする請求項３に記載のワイヤレスシステムの電源制御装置に存する。
また、本発明の請求項５に係る発明の要旨は、前記コマンドデータは他のデータと多重化して伝送されることを特徴とする請求項３又は請求項４に記載のワイヤレスシステムの電源制御装置に存する。
また、本発明の請求項６に係る発明の要旨は、前記受信回路が前記コマンドデータを受信したとき、前記受信回路内のタイマーを動作させて前記受信回路の電源を間欠動作させることを特徴とする請求項３乃至請求項５のいずれか１項に記載のワイヤレスシステムの電源制御装置に存する。
また、本発明の請求項７に係る発明の要旨は、プレーヤ本体の送信回路とリヤスピーカーの受信回路を備え、前記プレーヤ本体から無線で前記リヤスピーカーの電源を操作するように構成されたマルチチャンネルオーディオ装置において、前記リヤスピーカーが待機状態のとき前記受信回路に電源を間欠して供給し前記受信回路を間欠動作させるように構成したことを特徴とするマルチチャンネルオーディオ装置に存する。
また、本発明の請求項８に係る発明の要旨は、前記受信回路は少なくとも受信部と該受信部に動作クロックを供給する局部発振回路を含み、前記第２の装置が待機状態のとき、前記受信部を間欠動作させると共に前記局部発振回路を連続動作させるように構成したことを特徴とする請求項７に記載のマルチチャンネルオーディオ装置に存する。
また、本発明の請求項９に係る発明の要旨は、前記受信回路は、前記リヤスピーカーの電源を制御するコマンドデータを前記送信回路から受信するように構成したことを特徴とする請求項７又は請求項８に記載のワイヤレスシステムの電源制御装置に存する。
また、本発明の請求項１０に係る発明の要旨は、前記リヤスピーカーが待機状態のとき、前記間欠動作の１周期以上の時間においてコマンドデータを連続して前記受信回路に伝送することを特徴とする請求項９に記載のマルチチャンネルオーディオ装置に存する。
また、本発明の請求項１１に係る発明の要旨は、前記コマンドデータは他のデータと多重化して伝送されることを特徴とする請求項９又は請求項１０に記載のマルチチャンネルオーディオ装置に存する。
また、本発明の請求項１２に係る発明の要旨は、前記受信回路が前記コマンドデータを受信したとき、前記受信回路内のタイマーを動作させて前記受信回路の電源を間欠動作させることを特徴とする請求項９乃至請求項１１のいずれか１項に記載のマルチチャンネルオーディオ装置に存する。
また、本発明の請求項１３に係る発明の要旨は、前記リヤスピーカーは、オーディオアンプに電力を供給するメイン電源と、前記受信回路に電力を供給するサブ電源とを備えており、
前記受信回路が前記コマンドデータを電源オフのコマンドであると認識したとき前記メイン電源の出力を電源リレーによりオフすると共に、前記サブ電源の出力を電源リレーにより間欠動作させることを特徴とする請求項９乃至請求項１２のいずれか１項に記載のマルチチャンネルオーディオ装置に存する。
また、本発明の請求項１４に係る発明の要旨は、前記リヤスピーカーは、オーディオアンプに電力を供給するメイン電源と、前記受信回路に電力を供給するサブ電源とを備えており、
前記受信回路が前記コマンドデータを電源オンのコマンドであると認識したときは前記メイン電源の出力を電源リレーによりオンすると共に、前記サブ電源を電源リレーにより間欠して出力する間欠動作モードから連続して出力する連続動作モードに移行させることを特徴とする請求項９乃至請求項１３のいずれか１項に記載のマルチチャンネルオーディオ装置に存する。
また、本発明の請求項１５に係る発明の要旨は、前記受信回路は少なくとも受信部と該受信部に動作クロックを供給する局部発振回路を含み、前記リヤスピーカーが待機状態のとき、前記受信部と前記局部発振回路を前記サブ電源の出力に接続された前記電源リレーにより間欠動作させることを特徴とする請求項１３又は請求項１４に記載のマルチチャンネルオーディオ装に存する置。
また、本発明の請求項１６に係る発明の要旨は、前記受信回路は少なくとも受信部と該受信部に動作クロックを供給する局部発振回路を含み、前記リヤスピーカーが待機状態のとき、前記受信部を前記サブ電源の出力に接続された前記電源リレーにより間欠動作させ、前記局部発振回路は前記サブ電源の出力で連続動作させることを特徴とする請求項１３又は請求項１４に記載のマルチチャンネルオーディオ装置に存する。
また、本発明の請求項１７に係る発明の要旨は、第１の装置に備わる送信回路から第２の装置に備わる受信回路に無線でデータを伝送するように構成されたワイヤレスシステムの電源制御方法において、前記第２の装置が待機状態のとき前記受信回路に電源を間欠して供給し前記受信回路を間欠動作させることを特徴とするワイヤレスシステムの電源制御方法に存する。
また、本発明の請求項８に係る発明の要旨は、前記受信回路は少なくとも受信部と該受信部に動作クロックを供給する局部発振回路を含み、前記第２の装置が待機状態のとき、前記受信部を間欠動作させると共に前記局部発振回路を連続動作させることを特徴とする請求項１７に記載のワイヤレスシステムの電源制御方法に存する。
また、本発明の請求項１９に係る発明の要旨は、前記第１の装置に備わる送信回路から前記第２の装置の電源を制御するコマンドデータを受信することを特徴とする請求項１７又は請求項１８に記載のワイヤレスシステムの電源制御方法に存する。
また、本発明の請求項２０に係る発明の要旨は、前記第２の装置が待機状態のとき、前記受信回路は前記間欠動作の１周期以上の時間において前記コマンドデータを連続して前記受信回路に伝送することを特徴とする請求項１９に記載のワイヤレスシステムの電源制御方法に存する。
また、本発明の請求項２１に係る発明の要旨は、前記コマンドデータは他のデータと多重化して伝送されることを特徴とする請求項１９又は請求項２０に記載のワイヤレスシステムの電源制御方法に存する。
また、本発明の請求項２２に係る発明の要旨は、前記受信回路が前記コマンドデータを受信したとき、前記受信回路内のタイマーを動作させて前記受信回路の電源を間欠動作させることを特徴とする請求項１９乃至請求項２１のいずれか１項に記載のワイヤレスシステムの電源制御方法に存する。
また、本発明の請求項２３に係る発明の要旨は、プレーヤ本体の送信装置とリヤスピーカーの受信装置を備え、前記プレーヤ本体から無線で前記リヤスピーカーの電源を操作するように構成されたマルチチャンネルオーディオ装置の電源制御方法において、
前記リヤスピーカーが待機状態のとき前記受信回路に電源を間欠して供給し前記受信回路を間欠動作させることを特徴とするマルチチャンネルオーディオ装置の電源制御方法に存する。
また、本発明の請求項２４に係る発明の要旨は、前記受信回路は少なくとも受信部と該受信部に動作クロックを供給する局部発振回路を含み、前記リヤスピーカーが待機状態のとき、前記受信部を間欠動作させると共に前記局部発振回路を連続動作させることを特徴とする請求項２３に記載のマルチチャンネルオーディオ装置の電源制御方法に存する。
また、本発明の請求項２５に係る発明の要旨は、前記受信回路は、前記リヤスピーカーの電源を制御するコマンドデータを前記送信回路から受信することを特徴とする請求項２３又は請求項２４に記載のマルチチャンネルオーディオ装置の電源制御方法に存する。
また、本発明の請求項２６に係る発明の要旨は、前記リヤスピーカーが待機状態のとき、前記間欠動作の１周期以上の時間においてコマンドデータを連続して伝送することを特徴とする請求項２５に記載のマルチチャンネルオーディオ装置に存する。
また、本発明の請求項２７に係る発明の要旨は、前記コマンドデータは他のデータと多重化されて伝送されることを特徴とする請求項２４乃至請求項２６のいずれか１項に記載のマルチチャンネルオーディオ装置の電源制御方法に存する。
また、本発明の請求項２８に係る発明の要旨は、前記受信回路が前記コマンドデータを受信したとき、前記受信回路内のタイマーを動作させて前記受信回路の電源を間欠動作させることを特徴とする請求項２４乃至請求項２７のいづれか１項に記載のマルチチャンネルオーディオ装置の電源制御方法に存する。
また、本発明の請求項２９に係る発明の要旨は、前記リヤスピーカーは、オーディオアンプに電力を供給するメイン電源と、前記受信回路に電力を供給するサブ電源とを備えており、
前記受信回路が前記コマンドデータを電源オフのコマンドであると認識したとき前記メイン電源の出力を電源リレーによりオフすると共に、前記サブ電源の出力を電源リレーにより間欠動作させることを特徴とする請求項２４乃至請求項２８のいずれか１項に記載のマルチチャンネルオーディオ装置の電源制御方法に存する。
また、本発明の請求項３０に係る発明の要旨は、前記リヤスピーカーは、オーディオアンプに電力を供給するメイン電源と、前記受信回路に電力を供給するサブ電源とを備えており、
前記受信回路が前記コマンドデータを電源オンのコマンドであると認識したときは前記メイン電源の出力を電源リレーによりオンすると共に、前記サブ電源を電源リレーにより間欠して出力する間欠動作モードから連続して出力する連続動作モードに移行させることを特徴とする請求項２４乃至請求項２８のいずれか１項に記載のマルチチャンネルオーディオ装置の電源制御方法に存する。
また、本発明の請求項３１に係る発明の要旨は、前記受信回路は少なくとも受信部と該受信部に動作クロックを供給する局部発振回路を含み、前記リヤスピーカーが待機状態のとき、前記受信部と前記局部発振回路を前記サブ電源の出力に接続された前記電源リレーにより間欠動作させることを特徴とする請求項２９又は請求項３０に記載のマルチチャンネルオーディオ装置の電源制御方法に存する。
また、本発明の請求項３２に係る発明の要旨は、前記受信回路は少なくとも受信部と該受信部に動作クロックを供給する局部発振回路を含み、前記リヤスピーカーが待機状態のとき、前記受信部を前記サブ電源の出力に接続された前記電源リレーにより間欠動作させ、前記局部発振回路は前記サブ電源の出力で連続動作させることを特徴とする請求項２９又は請求項３０に記載のマルチチャンネルオーディオ装置の電源制御方法に存する。
【発明の効果】
【００１２】
本発明は、ワイヤレスシステムの受信回路部を間欠動作させることにより、受信側の平均待機電力を１Ｗ以下、具体的な実施の形態によれば０．２８Ｗ程度に抑制できる。
また、本発明において、ワイヤレスシステムの受信回路部を間欠動作させる場合に、局部発振回路を常時動作させておくことにより、受信側の平均待機電力を０．１Ｗ以下、具体的な実施の形態によれば０．０７Ｗ程度に抑制できる。
また、本発明において、ワイヤレスシステムの受信回路部を間欠動作させる場合に、受信側の電源オン、オフを制御するコマンドを、間欠動作周期以上の期間で送信することにより、受信側の電源オン、オフを確実に行うことができる。
【発明を実施するための最良の形態】
【００１３】
次に、本発明を実施するための最良の形態を、図面を参照して具体的に説明する。
【００１４】
（第１の実施の形態）
図１はワイヤレスシステムのマルチチャンネルオーディオ装置に本発明を適用した場合の、送信回路５０（送信側）を示し、また、図２はワイヤレスシステムのマルチチャンネルオーディオ装置に本発明を適用した場合のリヤスピーカー７８（受信側）を示している。マルチチャンネルオーディオ装置としては、ＤＶＤプレーヤ装置、センタースピーカー、フロントスピーカー、サブウーハーに対する回路も備わっているものであるが、ここではワイヤレスシステムを構成するＤＶＤプレーヤ装置部分の送信回路（送信側）５０とリヤスピーカー（受信側）７８について説明する。
【００１５】
図１は、ＤＶＤプレーヤ装置本体側からリヤスピーカー７８側に無線信号を送信する送信回路５０を示しており、例えば上記特許文献１の図２に記載された送信回路２８に相当するものである。送信回路５０としては種々の回路方式が適用可能で、図１はその１例を示したものである。
【００１６】
図１において、５１はオーディオ信号入力端子、５２はアナログオーディオ信号を入力しディジタルオーディオ信号として出力するオーディオ入力アンプである。５３はエンコーダーであり、オーディオ入力アンプ５２からのディジタルオーディオ信号とコントローラ５７からの制御信号を多重化、及びディジタル符号化して変調器５４にビットストリームとして出力する。変調器５４はエンコーダー５３からのビットストリームを電波として送信するのに適した周波数帯幅の信号に変調して送信部５５に出力する。送信部５５は変調器５４からの変調された信号を増幅し送信アンテナ５６に送り、送信アンテナ５６から電波として送信する。
【００１７】
コントローラ５７は送信回路５０全体を制御するコンピューターを含む制御回路である。赤外線リモコン送信器５８からの操作信号はリモコン受信器５９で受信され、コントローラ５７はこのリモコン受信器５９で受信された操作信号を取り込んで送信回路５０の各部を制御する。
【００１８】
送信回路５０の電源として、コンセント６０で受けた商用電源を基に、メイン電源６１、サブ電源６２が作られる。メイン電源６１は、コントローラ５７からのオン、オフ信号により電源リレー６３をオン、オフすることによって、オン、オフされるようになっている。メイン電源６１はオーディオ入力部５２、エンコーダー５３、変調器５４、送信部５５に電力を供給する。また、サブ電源６２はコントローラ５７に電力を供給する。
【００１９】
次に図２を参照すると、６４は受信アンテナであり、送信回路５０の送信アンテナ５６から送信された電波を受信部６５と共に受信し、増幅して復調器６６へ出力する。復調器６６は受信部６５からの信号を復調して元のビットストリームを生成し、デコーダー６７へ出力する。デコーダー６７は、多重化された制御信号とオーディオ信号を分離し、オーディオ信号は通常のオーディオ信号に戻してオーディオアンプ６８へ出力する。オーディオアンプ６８はデコーダ６７からのオーディオ信号を増幅してスピーカー６９に出力し、スピーカー６９は増幅されたオーディオ信号を音声として出力する。なお、局部発振回路７０は受信部６５に動作クロック信号を供給するものである。
【００２０】
リヤスピーカー７８の電源として、コンセント７１で受けた商用電源を基に、メイン電源７２、サブ電源７３が作られる。メイン電源７２はオーディオアンプ６８に電力を供給するが、タイマー７４からのオン、オフ信号により電源リレー７５がオン、オフされ、オーディオアンプ６８への電力供給がオンオフされるようになっている。この電源リレー７５は送信回路５０からオーディオ信号に多重化されて伝送されてきた制御信号をデコーダー６７で分離し、この制御信号を基にタイマー７４で電源オン、オフを判別することにより、オン、オフさせることができる。あるいは、この電源リレー７５は上記特許文献１に記載されている方法と同様の方法でオン、オフさせることができる。
【００２１】
すなわち、ＤＶＤプレーヤ２側から無線信号がリヤスピーカー側で受信されなくなるとデコーダー６７からタイマー７４へ出力される信号が変化し、例えば１から０に変化するとタイマー７４から電源リレー７５をオフさせる信号が出力される。しかしながら、後者は、どのような理由で無線信号が受信されなくなったかが不明であるため、より確実には、送信回路５０から伝送されてきた制御信号を基に電源オン、オフの判別を行うとよい。
【００２２】
サブ電源７３は受信部６５、復調器６６、デコーダー６７、局部発信回路７０、タイマー７４に電力を供給する。サブ電源７３から受信部６５、復調器６６、デコーダー６７に供給される電力は、タイマー７４からのオン、オフ信号により電源リレー７６がオン、オフされるようになっている。
【００２３】
更に、図３を使って、送信回路５０からリヤスピーカー７８へ伝送されるデータ、及び送信回路５０、リヤスピーカー７８の動作についてより詳細に説明する。
【００２４】
図１において、赤外線リモコン送信器５８の操作によりリモコン受信器５９が受信した電源オンの制御信号は、コントローラ５７に送られる。コントローラ５７はリモコン受信器５９から送られてきた信号が電源オンのコマンドであると認識した場合、エンコーダー５３に送るための新たな制御信号を、図３に示すように４ビットのデジタル制御信号８０として生成し、このデジタル制御信号８０をエンコーダー５３に送る。この信号を受けたエンコーダー５３は、図３に示すように４ビットのデジタル制御信号８０を１ビットづつに分解して制御ビット８３、８６、８９、９２とし、音声信号のビットデータ８５、８８、９１、９４にこの制御ビット８３、８６、８９、９２を多重化する。
【００２５】
図３はその動作原理を説明するために示したものである。通常、オーディオ信号入力端子５１から入力されたステレオのアナログ信号は、オーディオ入力アンプ５２の中で各チャンネル毎に１６ビットの音声信号にＡ／Ｄ変換（アナログ／ディジタル変換）され、エンコーダー５３に入力される。
【００２６】
エンコーダー５３は１８ビットを１ワード（図３に示した伝送データ８１のデータ８３〜８５、８６〜８８、８９〜９１、９２〜９４の各データを１ワード１８ビット構成）とする伝送システムをとり、左右チャンネルの１６ビット音声データに左チャンネルか右チャンネルかを識別する１ビット（図３の伝送データ８１のＬ／Ｒビット８４、８７、９０、９３）を付加し、左右交互にシリアル伝送する。残りの１ビットは制御信号８０を送るための制御ビット（図３の伝送データ８１の制御ビット８３、８６、８９、９２）として使用される。
【００２７】
コントローラ５７から受けた４ビットのディジタル制御信号８０は、１ビットづつ分解され、１ワードの中の１ビットに割り当てられる。すなわち、伝送データ８１におけるディジタル制御信号は、伝送データ８１の４ワード分を持って成立している。具体的な実施例をもって説明すれば、電源オンに対応する４ビットのディジタル制御信号８０が「１１００」であった場合、制御ビット８３が「１」、制御ビット８６が「１」、制御ビット８９が「０」、制御ビット９２が「０」として、この「１１００」が繰り返し伝送されることになる。
【００２８】
一方、受信側で復調されたディジタル制御信号も、送信側のエンコーダー５３の出力と同じ信号として復調されるから、制御ビットのみ並べることにより、図３のディジタル制御信号８２として復元される。
【００２９】
また、復元されたディジタル制御信号８２のデータが「１１００」なら、これをタイマー７４に送る。タイマー７４はこのデータを電源オンのコマンドと認識し、間欠動作していた電源リレー７６を常時オン状態とすると共に電源リレー７５もオンさせる。
【００３０】
また、電源オフ時も同様に動作する。例えば電源オフの４ビットのディジタル制御信号８０が「１１０１」と定義されておれば、送信側のエンコーダー５３でエンコードされた「１１０１」のデータは、受信側のデコーダー６７で復元され４ビットデータ「１１０１」としてタイマー７４に入力される。タイマー７４は受信されたデータ「１１０１」が電源オフのコマンドと認識したら、電源リレー７６を間欠動作モードへ移行し、電源リレー７５をオフする。
【００３１】
次に、電源リレー７６の間欠動作モードについて説明する。
図４に示した信号ａは、タイマー７４から出力される電源リレー３３のオン、オフ信号を示している。また、信号ｂはリヤスピーカー７８の消費電力を示している。
【００３２】
従来は、電源リレー７５をオンオフさせるのみであったが、本実施の形態では、更に電源リレー７６を設け、受信部６５、復調器６６、デコーダー６７、局部発振回路７０に供給される電力をオン、オフするようにしている。電源リレー７６はオン期間Ｔｏｎでオン、オフ期間Ｔｏｆｆでオフされる。このオン期間Ｔｏｎ、オフ期間Ｔｏｆｆは周期的に繰り返される。したがって電源リレー７６は間欠動作し、この間欠動作の周期はＴｏｎ＋Ｔｏｆｆとなる。平均待機電力Ｐｗは、オン期間Ｔｏｎ時の待機電力Ｐｏｎと、オフ期間Ｔｏｆｆ時の待機電力Ｐｏｆｆを平均して、Ｐｗ＝（Ｐｏｎ＊Ｔｏｎ＋Ｐｏｆｆ＊Ｔｏｆｆ）／（Ｔｏｎ＋Ｔｏｆｆ）となる。従来はオン期間Ｔｏｎのみでオフ期間Ｔｏｆｆがないので、平均待機電力ＰｗはＰｏｎであったが、本実施の形態によれば、オフ期間Ｔｏｆｆが設けられ、間欠周期（Ｔｏｎ＋Ｔｏｆｆ）に対するＴｏｎ期間の割合を小さくすれば、従来より更に平均待機電力Ｐｗを低減することができる。
【００３３】
次に、上記間欠動作の周期Ｔｏｎ＋Ｔｏｆｆに関連して、伝送データの送信周期について説明する。
【００３４】
送信回路５０からリヤスピーカー７８の電源をオンさせるために、図３に示したようにデータ化されたコマンド信号（ディジタル制御信号８０）を送信し、リヤスピーカー７８側では、送信回路５０から送信されてくる電源オン、オフのコマンド信号を常時監視している。しかし、リヤスピーカー７８の受信回路部（受信部６５、復調部６６、デコーダー６７、局部発振回路７０）は間欠動作しているので、オフ期間Ｔｏｆｆに送信回路５０から送信されてくる電源オン、オフのコマンド信号は受信することができない。リヤスピーカー７８側でこのコマンドを確実に受信するためには、少なくとも間欠動作の周期Ｔｏｎ＋Ｔｏｆｆの時間以上に亘ってコマンド信号を連続して送る必要がある。この条件が満たされれば、伝送データ８１の連続した送信期間に受信回路部のオン期間Ｔｏｎが１回以上存在することになるので、リヤスピーカー７８側では送信回路５０から送信されてくる電源オン、オフの信号を確実に受信することができる。
【００３５】
本実施の形態では、オン期間Ｔｏｎを０．５ｓｅｃとし、オフ期間Ｔｏｆｆを２ｓｅｃとした場合、平均待機電力を従来の約１／５とすることができる。すなわち、図２において、受信部６５、復調器６６、デコーダー６７が常時通電された場合の消費電力は、動作周波数が高くなるとそれに伴い消費電力が増加していくので動作周波数によって異なるが、通常よく使用される動作周波数が２．４ＧＨｚのとき約１．４Ｗ程度である。また、局部発振回路７０が常時通電された場合の消費電力は約２ｍＷ程度である。タイマー７４は動作周波数を数１０ｋＨｚ程度に低くすることができるのでＣＭＯＳ回路で構成することができ、常時通電された場合の消費電力は約１ｍＷ以下である。このような消費電力の分布をしているので、受信部６５、復調器６６、デコーダー６７、局部発振回路７０が常時通電されていた従来の平均待機電力は約１．４Ｗ程度あった。これに対し本実施の形態によれば、従来の約１／５の０．２８Ｗとすることができ、省電力を達成することができる。
【００３６】
平均待機電力は、１Ｗ以下に抑制するように規制が強化されつつあるが、これに対し、実施の形態によれば平均待機電力を１Ｗ以下にでき、この規制値をクリアすることが可能となる。
なお、オーディオアンプ６８は待機電力が１０Ｗ程度あり、また受信に関係しないので、待機中は間欠運転せず連続してオフさせておく。
【００３７】
（第２の実施の形態）
上記第１の実施の形態において平均待機電力Ｐｗを低減するために、図３の示した間欠動作モードのオン期間Ｔｏｎを短くしていくと、リヤスピーカー７８の受信回路部（受信部６５、復調部６６、デコーダー６７、局部発振回路７０）が不安定になり、オン期間Ｔｏｎを短くできる限界があることが分かった。この第１の実施の形態での問題を解決して、更に平均待機電力Ｐｗを低減したのが、本第２の実施の形態で説明するものである。
【００３８】
まず、上記第１の実施の形態において、オン期間Ｔｏｎに下限が存在する理由について説明する。
【００３９】
図４を参照すると、平均待機電力Ｐｗを低減するためには、オン期間Ｔｏｎを短くする必要がある。また、オフ期間Ｔｏｆｆは、長いほど平均待機電力Ｐｗを低減できるが、応答性を損なわない程度にオフ期間Ｔｏｆｆを短くしておく必要がある。したがってオン期間Ｔｏｎを極力小さくすればよい。しかしＴｏｎ期間を短くしていくと受信回路部が不安定になってくる。その原因は局部発振回路７０の電源投入時の動作不安定による。
【００４０】
すなわち局部発振回路７０を短い時間でオンさせても発振状態が安定せず、受信回路部が不安定になって受信ができない。受信部６５、復調器６６、デコーダー６７が安定動作状態になるまでに約１０ｍｓｅｃ以内であるのに対し、局部発振回路７０は、２．４ＧＨｚあるいは５ＧＨｚのＰＬＬ方式の局部発振回路の場合、発振が安定するまでの立ち上がり時間は約０．３秒〜０．４秒を要する。したがって第１の実施の形態において受信回路が安定に動作するためのＴｏｎ期間は、伝送データ８１の４ワード分以上を受信できるように余裕をとって０．５秒程度が限界となる。これ以上短くすると受信回路が不安定になり、正常な受信が不可能になる。
【００４１】
そこで本実施の形態では、更にオン期間Ｔｏｎを短くするために、受信部６５、復調器６６、デコーダー６７に供給される電力をオン、オフするようにし、局部発振回路７０は常時通電状態とすることにしてこの問題を解決した。
【００４２】
次に、図５を参照して、第２の実施の形態について説明する。
【００４３】
図５は、この第２の実施の形態を示したもので、第１の実施の形態の図２と異なる点は、局部発振回路７０がサブ電源７３に直接接続され、受信部６５、復調器６６、デコーダー６７は電源リレー７７を介してサブ電源７３に接続されており、局部発振回路７０が常時通電されていることである。図５において他の部分は図２と同じなので、異なる部分を主に説明する。
【００４４】
送信回路５０からオーディオ信号に多重化されて送信された伝送データ８１は、受信アンテナ６４、受信部６５で受信される。復調器６６は受信部６５からの信号を復調して元のビットストリームを生成し、デコーダー６７へ出力する。デコーダー６７は、多重化されたディジタル制御信号８３、８６、８９、９２とオーディオ信号８５、８８、９１、９４を分離し、オーディオ信号は通常のオーディオ信号に戻してオーディオアンプ６８へ出力する。オーディオアンプ６８はデコーダー６７からのオーディオ信号を増幅してスピーカー６９に出力し、スピーカー６９は増幅されたオーディオ信号を音として出力する。
【００４５】
上記第１の実施の形態と同様、デコーダー６７で復元されたディジタル制御信号８２をタイマー７４が電源オンのコマンドと認識した場合、間欠動作していた電源リレー７７を常時オン状態とすると共に電源リレー７５もオンさせる。
【００４６】
また、電源オフ時も同様に動作する。受信側のデコーダー６７で復元された制御データがタイマー７４で電源オフのコマンドと認識した場合、電源リレー７７を間欠動作モードへ移行し、電源リレー７５をオフする。
【００４７】
本実施の形態では、局部発振回路７０が常時通電されているので、電源をオン、オフするときの局部発振回路７０の動作不安定の問題がなくなる。受信部６５、復調器６６、デコーダー６７は電源をオンしてから１０ｍｓｅｃ以下で安定に動作するようになるので、伝送データ８１の４ワード分以上を連続受信できるように余裕をとってオン期間Ｔｏｎを０．１ｓｅｃとし、オフ期間Ｔｏｆｆを２ｓｅｃとした場合、平均待機電力を従来の約１／２０とすることができる。
【００４８】
図５において、受信部６５、復調器６６、デコーダー６７が常時通電された場合の消費電力は、動作周波数が２．４ＧＨｚの場合に約１．４Ｗ程度であり、局部発振回路２７が常時通電された場合の消費電力は約２ｍＷ程度、タイマー７４が常時通電された場合の消費電力は１ｍＷ以下である。したがって、受信部６５、復調器６６、デコーダー６７、局部発振回路７０が常時通電されていた従来の平均待機電力は約１．４Ｗ程度あった。これに対し本実施の形態によれば従来の約１／２０の０．０７Ｗとすることができる。平均待機電力は、１Ｗ以下に抑制するように規制が強化されつつあるが、これに対し、実施の形態によれば平均待機電力を０．１Ｗ以下にすることが可能で、第１の実施の形態に比べても、更に大幅な省電力を達成することができる。
【００４９】
なお、本実施の形態においても、間欠動作モードの１周期以上連続して伝送データ８１を送信すれば確実に受信できることは、第１の実施の形態と同様である。
【００５０】
以上、ワイヤレスシステムのマルチチャンネルオーディオ装置を例にとって具体的に説明したが、本発明はこれに限定されることなく、送信回路が備わる第１の装置から受信回路が備わる第２の装置に無線でデータを伝送するように構成されたワイヤレスシステムの電源制御装置に広く適用できることは明らかである。例えばブルートゥース（Bluetooth）やホームＲＦ（HomeRF）などの無線通信技術を使ったパソコンやディジタル家電のワイヤレスシステムなどにも適用できる。
【産業上の利用可能性】
【００５１】
本発明は、マルチチャンネルオーディオ装置に限らず、各種家庭電化製品やコンピューターを使った各種制御装置における、電波、光、、赤外線などを使用したワイヤレスシステムで、装置使用者が装置を使用していないとき受信側が待機状態となるシステムに広く利用することが可能である。
【図面の簡単な説明】
【００５２】
【図１】本発明による、送信側回路の第１の実施の形態を示す図である。
【図２】本発明による、受信側回路の第１の実施の形態を示す図である。
【図３】本発明による、ディジタル制御信号の伝送状態を説明する図である。
【図４】本発明による、間欠動作モードを説明する図である。
【図５】本発明による、受信側回路の第２の実施の形態を示す図である。
【図６】ワイヤレスシステムのマルチチャンネルオーディオ装置の全体構成図である。
【図７】従来技術の、送信側回路を示す図である。
【図８】従来技術の、受信側回路を示す図である。
【符号の説明】
【００５３】
５０・・・送信回路
５１・・・オーディオ信号入力端子
５２・・・オーディオ入力アンプ
５３・・・エンコーダー
５４・・・変調器
５５・・・送信部
５６・・・送信アンテナ
５７・・・コントローラ
５８・・・赤外線リモコン送信器
５９・・・リモコン受信器
６０、７１・・・コンセント
６１、７２・・・メイン電源
６２、７３・・・サブ電源
６３、７５、７６、７７・・・電源リレー
６４・・・受信アンテナ
６５・・・受信部
６６・・・復調器
６７・・・デコーダー
６８・・・オーディオアンプ
６９・・・スピーカー
７０・・・局部発振回路
７４・・・タイマー
７８、７９・・・リヤスピーカー
８０・・・制御信号（エンコード側）
８１・・・伝送データ
８２・・・制御信号（デコード側）
８３、８６、８９、９２・・・制御ビット
８４、８７、９０、９３・・・Ｌ／Ｒビット
８５、８８、９１、９４・・・音声データ
【図１】
2006067336.tif 000003
【図２】
2006067336.tif 000004
【図３】
2006067336.tif 000005
【図４】
2006067336.tif 000006
【図５】
2006067336.tif 000007
【図６】
2006067336.tif 000008
【図７】
2006067336.tif 000009
【図８】
2006067336.tif 000010